(57)【特許請求の範囲】
【請求項１】
便器を洗浄するための洗浄水を水源から洗浄水タンク内に給水する給水装置と、洗浄水タンクの底面に配置されて便器と連通する排水流路を開閉する排水弁と、上記排水流路と連通し、上記洗浄水タンクの底面から上方へ延びるように設けられて上記洗浄水タンク内の洗浄水が満水水位を超えた場合に洗浄水を上記便器へ排出するオーバーフロー管と、を有する洗浄水タンク装置に設けられて大洗浄と小洗浄を行う便器に補給水を供給する補給水供給装置であって、
上記給水装置から分岐し、その下流側端部に形成された吐水口が上記オーバーフロー管の開口に差し向けられるように固定されて上記吐水口から上記オーバーフロー管に洗浄水を供給する補給水部と、
上記オーバーフロー管の開口に配置されて上記補給水部の吐水口から上記オーバーフロー管への洗浄水の流入を遮断するように上記オーバーフロー管の開口を開閉する開口開閉手段であって、上記排水弁が上記排水流路を開放して大洗浄又は小洗浄を開始してから上記排水弁が上記排水流路を閉鎖して上記洗浄水タンク内の水位が所定の基準水位に上昇するまでの所定期間では上記オーバーフロー管の開口を閉鎖し、上記所定期間以外の期間では上記オーバーフロー管の開口を開放する上記開口開閉手段と、を有することを特徴とする補給水供給装置。
【請求項２】
上記所定の基準水位は、上記洗浄水タンク内の水位が満水水位未満の水位であり、上記開口開閉手段は、上記洗浄水タンク内の水位により上下動するフロートと、このフロートと連動し、上記洗浄水タンク内の水位が上記所定の基準水位よりも下方の水位にあるとき、上記オーバーフロー管の開口を閉鎖し、上記洗浄水タンク内の水位が上記所定の基準水位と等しい、又はこの所定の基準水位よりも上方の水位にあるとき、上記オーバーフロー管の開口を開放する開閉部材と、を備えている請求項１記載の補給水供給装置。
【請求項３】
上記開口開閉手段は、更に、上記オーバーフロー管からほぼ水平方向に延びるように設けられて上記開閉部材を支持する支持軸を備え、上記開閉部材は、上記フロートの上下動と連動して上記オーバーフロー管の開口を開閉するように上記支持軸に回動可能に取り付けられている請求項２記載の補給水供給装置。
【請求項４】
上記開閉部材は、上記オーバーフロー管の開口を開放している状態で上記オーバーフロー管の開口領域のほぼ全域に亘って開放するように、上記開口と上記開閉部材との間には、所定間隔の隙間が形成されている請求項３記載の補給水供給装置。
【請求項５】
上記開閉部材は、上記オーバーフロー管の開口を閉鎖している状態で上記補給水部の吐水口と対向する側の表面がほぼ球面状に形成され、上記補給水部の吐水口は、上記開閉部材が上記オーバーフロー管の開口を閉鎖している状態で上記開閉部材のほぼ球面状の表面の頂部に向けて吐水する請求項３又は４記載の補給水供給装置。
【請求項６】
上記フロートは、上記洗浄水タンク内の水位によって上記フロートを上昇させる浮力と上記フロートの自重とが釣り合う位置を上下方向に調整可能な調整手段を備えている請求項２乃至５の何れか１項に記載の補給水供給装置。
【請求項７】
上記請求項１乃至６の何れか１項に記載の補給水供給装置を備えた洗浄水タンク装置。
【請求項８】
上記請求項７記載の洗浄水タンク装置を備えた水洗大便器。
【発明の詳細な説明】
【技術分野】
【０００１】
本発明は、補給水供給装置、この補給水供給装置を備えた洗浄水タンク装置、及び、この洗浄水タンク装置を備えた水洗大便器に係り、特に、便器に補給水を供給する補給水供給装置、この補給水供給装置を備えた洗浄水タンク装置、及び、この洗浄水タンク装置を備えた水洗大便器に関する。
【背景技術】
【０００２】
従来から、大洗浄と小洗浄の異なる２つの洗浄水量で便器洗浄を行う水洗大便器において、便器に補給水をリフィールする補給水供給装置が大洗浄と小洗浄とで異なるリフィール水量（補給水量）を便器に供給してしまうので、その差分のリフィール水量が便器の排水トラップ下流へとこぼれ落ちて流れ、無駄に洗浄水を浪費させているものが知られている。
特許文献１に示されているように、そのような無駄な洗浄水の浪費を防止するために、給水装置から分岐したリフィール管の先端開口を、洗浄水タンク内の水位によりオーバーフロー管に沿って上下動するフロートに取付け、フロートと一体に上下動させ、洗浄水タンクの所定水位になるとリフィール管の先端開口からのリフィール水をオーバーフロー管内に供給開始させ、満水水位になるとリフィール管の先端開口からのリフィール水の供給を完了させているものが知られている。
【先行技術文献】
【特許文献】
【０００３】
【特許文献１】特開平０８−３０２７８１号公報
【発明の概要】
【発明が解決しようとする課題】
【０００４】
しかしながら、上述した特許文献１に示す補給水供給装置におけるように、フロートとリフィール管の先端開口を一体に可動させることにより、フロートと一体のリフィール管の先端開口が、リフィール管からの洗浄水の吐水圧力を受けてオーバーフロー管と接触する等して安定的に上下動せず、リフィール管の先端開口から吐水される補給水をオーバーフロー管内に安定的に流入させることができずに、便器にリフィールされる補給水量が過不足して一定とならない、さらに、大洗浄と小洗浄とにおいて一定量の補給水を便器にリフィールすることができないといった問題（欠点）が生じていた。近年の節水化の要請に伴い、洗浄水量が減らされたことに伴い、この課題がより顕著に生じるようになっている。
【０００５】
そこで、本発明は、従来技術の欠点を解決するためになされたものであり、大洗浄と小洗浄とにおいて一定量の補給水を安定して便器にリフィールすることができる補給水供給装置を提供することを目的としている。
【課題を解決するための手段】
【０００６】
上記の目的を達成するために、本発明は、便器を洗浄するための洗浄水を水源から洗浄水タンク内に給水する給水装置と、洗浄水タンクの底面に配置されて便器と連通する排水流路を開閉する排水弁と、排水流路と連通し、洗浄水タンクの底面から上方へ延びるように設けられて洗浄水タンク内の洗浄水が満水水位を超えた場合に洗浄水を便器へ排出するオーバーフロー管と、を有する洗浄水タンク装置に設けられて大洗浄と小洗浄を行う便器に補給水を供給する補給水供給装置であって、給水装置から分岐し、その下流側端部に形成された吐水口がオーバーフロー管の開口に差し向けられるように固定されて吐水口からオーバーフロー管に洗浄水を供給する補給水部と、オーバーフロー管の開口に配置されて補給水部の吐水口からオーバーフロー管への洗浄水の流入を遮断するようにオーバーフロー管の開口を開閉する開口開閉手段であって、排水弁が排水流路を開放して大洗浄又は小洗浄を開始してから排水弁が排水流路を閉鎖して洗浄水タンク内の水位が所定の基準水位に上昇するまでの所定期間ではオーバーフロー管の開口を閉鎖し、所定期間以外の期間ではオーバーフロー管の開口を開放する開口開閉手段と、を有することを特徴としている。
このように構成された本発明においては、補給水部がオーバーフロー管の開口に差し向けられるように固定された状態で、オーバーフロー管の開口に配置された開口開閉手段により、排水弁が排水流路を開放して大洗浄又は小洗浄を開始してから排水弁が排水流路を閉鎖して洗浄水タンク内の水位が所定の基準水位に上昇するまでの所定期間では、オーバーフロー管の開口を閉鎖して補給水部の吐水口からの補給水がオーバーフロー管内に流入することを防ぐと共に、この補給水を洗浄水タンク内に供給し、所定期間以外の期間では、オーバーフロー管の開口を開放して補給水部の吐水口からの補給水をオーバーフロー管内に安定的に流入させることができる。したがって、大洗浄と小洗浄のそれぞれの場合において補給水部から一定量の補給水を安定して便器にリフィールさせることができる。
【０００７】
本発明において、好ましくは、所定の基準水位は、洗浄水タンク内の水位が満水水位未満の水位であり、開口開閉手段は、洗浄水タンク内の水位により上下動するフロートと、このフロートと連動し、洗浄水タンク内の水位が所定の基準水位よりも下方の水位にあるとき、オーバーフロー管の開口を閉鎖し、洗浄水タンク内の水位が所定の基準水位と等しい、又はこの所定の基準水位よりも上方の水位にあるとき、オーバーフロー管の開口を開放する開閉部材と、を備えている。
このように構成された本発明においては、洗浄水タンク内の水位が満水水位未満の所定の基準水位よりも下方の水位にあるときには、開閉部材がフロートと連動してオーバーフロー管の開口を閉鎖し、補給水部の吐水口からの補給水がオーバーフロー管内に流入することを防ぐと共に、この補給水を洗浄水タンク内に供給し、洗浄水タンク内の水位が所定の基準水位と等しい又はこの所定の基準水位よりも上方の水位にあるときには、開閉部材がフロートと連動してオーバーフロー管の開口を開放し、補給水部の吐水口からの補給水をオーバーフロー管内に安定的に流入させることができる。したがって、大洗浄と小洗浄のそれぞれの場合において、簡単な構造により、補給水部から一定量の補給水を安定して便器にリフィールさせることができる。
【０００８】
本発明において、好ましくは、開口開閉手段は、更に、オーバーフロー管からほぼ水平方向に延びるように設けられて開閉部材を支持する支持軸を備え、開閉部材は、フロートの上下動と連動してオーバーフロー管の開口を開閉するように支持軸に回動可能に取り付けられている。
このように構成された本発明においては、開口開閉手段の開閉部材がフロートの上下動と連動して支持軸を中心に回動することによりオーバーフロー管の開口を開閉することができる。したがって、簡単な構造により、補給水部の吐水口から大洗浄と小洗浄のそれぞれの場合において一定量の補給水を安定して便器にリフィールさせることができる。また、開口開閉手段の開閉部材が支持軸を中心に回動する方向にオーバーフロー管の開口を開閉するため、オーバーフロー管の開口をその上下（高さ）方向に開閉するものに比べて、コンパクトな構造にすることができる。
【０００９】
本発明において、好ましくは、開閉部材は、オーバーフロー管の開口を開放している状態でオーバーフロー管の開口領域のほぼ全域に亘って開放するように、開口と開閉部材との間には、所定間隔の隙間が形成されている。
このように構成された本発明においては、開閉部材がオーバーフロー管の開口を開放している状態でオーバーフロー管の開口領域のほぼ全域に亘って開放し、開口と開閉部材との間に所定間隔の隙間が形成されているので、オーバーフロー管の開口に相当する規定水位を超えた洗浄水をこの隙間からオーバーフロー管へ排出させることができ、オーバーフロー能力の低下を抑制してオーバーフロー能力を確保することができる。また、開閉部材が、洗浄水タンク内の水位が所定の基準水位よりも上方の水位にあるときの所定期間に限り、オーバーフロー管の開口を開放し、補給水部の吐水口から吐水された洗浄水をオーバーフロー管内へ流入させるようにしたため、大洗浄と小洗浄のそれぞれの場合において補給水部から一定量の補給水を安定して便器にリフィールさせることができる。
【００１０】
本発明において、好ましくは、開閉部材は、オーバーフロー管の開口を閉鎖している状態で補給水部の吐水口と対向する側の表面がほぼ球面状に形成され、補給水部の吐水口は、開閉部材がオーバーフロー管の開口を閉鎖している状態で開閉部材のほぼ球面状の表面の頂部に向けて吐水する。
このように構成された本発明においては、開閉部材がオーバーフロー管の開口を閉鎖したとき、補給水部の吐水口から吐水された補給水が開閉部材のほぼ球面状の表面の頂部に向けて吐水されるため、この頂部に吐水された洗浄水がほぼ球面状の表面に沿って均一に洗浄水タンク内に拡散される。したがって、補給水部から開閉部材に吐水された補給水の水跳ねを低減させて吐水音を抑制することができる。
【００１１】
本発明において、好ましくは、フロートは、洗浄水タンク内の水位によってフロートを上昇させる浮力とフロートの自重とが釣り合う位置を上下方向に調整可能な調整手段を備えている。
このように構成された本発明においては、調整手段により、洗浄水タンク内の水位によってフロートを上昇させる浮力とフロートの自重とが釣り合う位置を上下方向に調整することができ、開閉部材がオーバーフロー管の開口を開閉するタイミングを調整することができる。したがって、便器洗浄に使用される洗浄水タンクの容量に応じて便器への補給水量を変更することができ、且つ大洗浄と小洗浄のそれぞれの場合において補給水部から一定量の補給水を安定して便器にリフィールさせることができる。
【００１２】
また、本発明は、補給水供給装置を備えた洗浄水タンク装置である。
このように構成された本発明においては、大洗浄と小洗浄のそれぞれの場合において一定量の補給水を安定して便器にリフィールさせることができる洗浄水タンク装置を提供することができる。
【００１３】
また、本発明は、洗浄水タンク装置を備えた水洗大便器である。
このように構成された本発明においては、大洗浄と小洗浄のそれぞれの場合において一定量の補給水を安定して便器にリフィールさせることができる水洗大便器を提供することができる。
【発明の効果】
【００１４】
本発明の補給水供給装置によれば、大洗浄と小洗浄とにおいて一定量の補給水を安定して便器にリフィールさせることができる。
【図面の簡単な説明】
【００１５】
【図１】本発明の第１実施形態による補給水供給装置を備えた洗浄水タンク装置が適用された水洗大便器において、便座及び便蓋を取り外した状態を示す斜視図である。
【図２】本発明の第１実施形態による補給水供給装置を備えた洗浄水タンク装置の内部構造を蓋体を取り外した状態で補給水供給装置の一部分を一部破断した部分断面正面図である。
【図３】本発明の第１実施形態による補給水供給装置を備えた洗浄水タンク装置の内部構造を蓋体を取り外した状態で示す上面図である。
【図４】本発明の第１実施形態による補給水供給装置のオーバーフロー管の上方に位置している状態の開口開閉手段を示す斜視図である。
【図５（ａ）】本発明の第１実施形態による補給水供給装置の大洗浄モードにおける排水及び給水が開始される前の状態を示す洗浄水タンク装置において、補給水供給装置を部分的に破断した部分正面断面図である。
【図５（ｂ）】本発明の第１実施形態による補給水供給装置の大洗浄モードにおける排水終了直後の状態を示す洗浄水タンク装置において、補給水供給装置を部分的に破断した部分正面断面図である。
【図５（ｃ）】本発明の第１実施形態による補給水供給装置の大洗浄モードにおける排水終了後、給水中に、洗浄水タンク内の水位が、時間と共に基準水位ＷＬ２まで上昇した状態を示す洗浄水タンク装置において、補給水供給装置を部分的に破断した部分正面断面図である。
【図５（ｄ）】本発明の第１実施形態による補給水供給装置の大洗浄モードにおける排水終了後、洗浄水タンク内の水位が、時間と共に止水水位に近い水位ＷＬ３まで上昇されて給水が終了する直前の状態を示す洗浄水タンク装置において、補給水供給装置を部分的に破断した部分正面断面図である。
【図６（ａ）】本発明の第１実施形態による補給水供給装置の小洗浄モードにおける排水及び給水が開始される前の状態を示す洗浄水タンク装置において、補給水供給装置を部分的に破断した部分正面断面図である。
【図６（ｂ）】本発明の第１実施形態による補給水供給装置の小洗浄モードにおける排水終了直後の状態を示す洗浄水タンク装置において、補給水供給装置を部分的に破断した部分正面断面図である。
【図６（ｃ）】本発明の第１実施形態による補給水供給装置の小洗浄モードにおける排水終了後、給水中に、洗浄水タンク内の水位が、時間と共に基準水位ＷＬ２まで上昇した状態を示す洗浄水タンク装置において、補給水供給装置を部分的に破断した部分正面断面図である。
【図６（ｄ）】本発明の第１実施形態による補給水供給装置の小洗浄モードにおける排水終了後、洗浄水タンク内の水位が、時間と共に止水水位に近い水位ＷＬ３まで上昇されて給水が終了する直前の状態を示す洗浄水タンク装置において、補給水供給装置を部分的に破断した部分正面断面図である。
【図７】本発明の第２実施形態による補給水供給装置を備えた洗浄水タンク装置の内部構造を蓋体を取り外した状態で補給水供給装置の一部分を一部破断した部分断面正面図である。
【図８】本発明の第２実施形態による補給水供給装置を備えた洗浄水タンク装置の内部構造を蓋体を取り外した状態で示す上面図である。
【図９】本発明の第２実施形態による補給水供給装置の補給水装置の一部及び開口開閉手段の斜視図である。
【図１０】本発明の第２実施形態による補給水供給装置の補給水装置の一部及び開口開閉手段の分解斜視図である。
【図１１（ａ）】本発明の第２実施形態による補給水供給装置の大洗浄モードにおける排水及び給水が開始される前の状態を示す洗浄水タンク装置において、補給水供給装置を部分的に破断した部分正面断面図である。
【図１１（ｂ）】本発明の第２実施形態による補給水供給装置の大洗浄モードにおける排水終了直後の状態を示す洗浄水タンク装置において、補給水供給装置を部分的に破断した部分正面断面図である。
【図１１（ｃ）】本発明の第２実施形態による補給水供給装置の大洗浄モードにおける排水終了後、給水中に、洗浄水タンク内の水位が、時間と共に基準水位ＷＬ２まで上昇した状態を示す洗浄水タンク装置において、補給水供給装置を部分的に破断した部分正面断面図である。
【図１１（ｄ）】本発明の第２実施形態による補給水供給装置の大洗浄モードにおける排水終了後、洗浄水タンク１８内の水位が、時間と共に止水水位に近い水位ＷＬ３まで上昇されて給水が終了する直前の状態を示す洗浄水タンク装置において、補給水供給装置を部分的に破断した部分正面断面図である。
【図１２（ａ）】本発明の第２実施形態による補給水供給装置の小洗浄モードにおける排水及び給水が開始される前の状態を示す洗浄水タンク装置において、補給水供給装置を部分的に破断した部分正面断面図である。
【図１２（ｂ）】本発明の第２実施形態による補給水供給装置の小洗浄モードにおける排水終了直後の状態を示す洗浄水タンク装置において、補給水供給装置を部分的に破断した部分正面断面図である。
【図１２（ｃ）】本発明の第２実施形態による補給水供給装置の小洗浄モードにおける排水終了後、給水中に、洗浄水タンク１８内の水位が、時間と共に基準水位ＷＬ２まで上昇した状態を示す洗浄水タンク装置において、補給水供給装置を部分的に破断した部分正面断面図である。
【図１２（ｄ）】本発明の第２実施形態による補給水供給装置の小洗浄モードにおける排水終了後、洗浄水タンク１８内の水位が、時間と共に止水水位に近い水位ＷＬ３まで上昇されて給水が終了する直前の状態を示す洗浄水タンク装置において、補給水供給装置を部分的に破断した部分正面断面図である。
【発明を実施するための形態】
【００１６】
つぎに、添付図面により、本発明の第１実施形態による補給水供給装置、及び、その補給水供給装置を備えた洗浄水タンク装置、この洗浄水タンク装置が適用された水洗大便器を説明する。
まず、図１により、本発明の第１実施形態による補給水供給装置を備えた洗浄水タンク装置が適用された水洗大便器を説明する。
図１は、本発明の第１実施形態による補給水供給装置を備えた洗浄水タンク装置が適用された水洗大便器において、便座及び便蓋を取り外した状態を示す斜視図である。
【００１７】
図１に示すように、符号１は、サイホン作用を利用してボウル部内の汚物を吸い込んで排水トラップ管路から一気に外部に排出する、いわゆる、サイホン式の水洗大便器であり、この水洗大便器１は、陶器製の便器本体２を備え、この便器本体２には、ボウル部４と、このボウル部４の下部と連通する排水トラップ管路６がそれぞれ形成されている。
便器本体２のボウル部４の上縁部には、内側にオーバーハングしたリム８と、便器本体２の後方側の内部に形成される排水流路９（図２参照）から供給される洗浄水を吐水する第１吐水口１０が形成され、この第１吐水口１０から吐水された洗浄水は、旋回しながら下降してボウル部４を洗浄するようになっている。
【００１８】
ボウル部４の下方には、鎖線Ｗ0で溜水面が示された溜水部１２が形成されている。この溜水部１２の下方には、排水トラップ管路６の入口６ａが開口し、この入口６ａから後方の排水トラップ管路６は排水ソケット（図示せず）を介して床下の排出管（図示せず）に接続されている。
また、ボウル部４の溜水面Ｗ0の上方位置には、便器本体２の後方側の内部に形成される排水流路９（図２参照）から供給される洗浄水を吐水する第２吐水口１４が形成され、この第２吐水口１４から吐水される洗浄水が溜水部１２の溜水を上下方向に旋回させる旋回流を生じさせるようになっている。
【００１９】
便器本体２の後方側の上面には、便器本体２に供給する洗浄水を貯水する洗浄水タンク装置１６が設けられ、洗浄水タンク装置１６の上部には、洗浄水タンク装置の蓋をする蓋体１７が設けられている。
なお、本実施形態による洗浄水タンク装置１６においては、上述したサイホン式の水洗大便器に適用した例について説明するが、このようなサイホン式の水洗大便器に限定されず、ボウル部内の水の落差による流水作用で汚物を押し流す、いわゆる、洗い落し式の水洗大便器等の他のタイプの水洗便器にも適用可能である。
【００２０】
つぎに、図２及び図３により、洗浄水タンク装置１６の内部構造について説明する。
図２は、本発明の第１実施形態による補給水供給装置を備えた洗浄水タンク装置の内部構造を蓋体を取り外した状態で補給水供給装置の一部分を一部破断した部分断面正面図であり、図３は、本発明の第１実施形態による補給水供給装置を備えた洗浄水タンク装置の内部構造を蓋体を取り外した状態で示す上面図である。
図２及び図３に示すように、洗浄水タンク装置１６は、水洗大便器１を洗浄する洗浄水を貯水する洗浄水タンク１８を備え、この洗浄水タンク１８の底部には、便器本体２の排水流路９と連通する排水口２０が形成され、洗浄水タンク１８内の洗浄水が便器本体２の排水流路９へと供給されるようになっている。また、洗浄水タンク１８は、節水型の水洗大便器に用いられるよう大洗浄時には４．８リットルの洗浄水量を洗浄に使用できるようになっているが、便器の種類に応じて、貯水する洗浄水の量が異なっていてもよい。
【００２１】
図２及び図３に示すように、洗浄水タンク装置１６の洗浄水タンク１８内には、補給水供給装置１９と、この洗浄水タンク１８内に洗浄水を供給する給水装置２２と、洗浄水タンク１８に貯えられた洗浄水について排水口２０を開放して便器本体２の排水流路９に流出させる排水弁装置２４と、排水弁装置２４に取付けられ洗浄水タンク１８内の洗浄水が規定水位を超えたときに洗浄水を排水流路９を介して便器本体２にオーバーフローさせるオーバーフロー管部２６とが設けられている。
また、詳細は後述する補給水供給装置１９は、給水装置２２から分岐されてオーバーフロー管部２６の上方まで延び便器本体２に補給水をリフィールさせる補給水部２８と、さらに、オーバーフロー管部２６の開口の上方には、補給水部２８から吐水された補給水が、一定量の補給水を便器にリフィールさせる期間以外の期間はオーバーフロー管部２６内へ流入することを遮断されるようにオーバーフロー管部２６の開口を閉じ、且つ、一定量の補給水を便器にリフィールさせる期間はオーバーフロー管部２６内へ流入されるようにオーバーフロー管部２６の開口を開く開閉装置３０とを備えている。
【００２２】
給水装置２２は、外部の給水源（図示せず）に接続され洗浄水タンク１８の底部から上方に延びる給水管３２と、この給水管３２の上端部に取り付けられ、給水管３２から給水される洗浄水の洗浄水タンク１８内への吐水と止水を切り替える給水バルブ３４と、洗浄水タンク１８内の水位の変動に応じて上下動して給水バルブ３４による吐水と止水を切り替える給水バルブフロート３６とを備えている。給水バルブ３４から吐水される洗浄水は、給水源からの給水圧に応じて単位時間あたりの流量はほぼ一定に設定されている。
【００２３】
給水管３２の外周側下端部には、給水バルブ吐水口３８が開口し、給水バルブ３４からの洗浄水がこの給水バルブ吐水口３８から洗浄水タンク１８内に吐水されるようになっている。
【００２４】
給水装置２２においては、排水弁装置２４により、洗浄水タンク１８内の洗浄水が便器に排水されると、洗浄水の水位が低下して給水バルブフロート３６が下降し、それにより給水バルブ３４が開き、給水バルブ吐水口３８からの吐水が開始し、洗浄水タンク装置１６の外部の給水源（図示せず）から洗浄水タンク１８内への吐水が開始されるようになっている。
さらに、吐水が継続されて洗浄水タンク１８内の水位が上昇すると、給水バルブフロート３６も上昇し、それにより給水バルブ３４が閉じ、給水バルブ吐水口３８が止水される。これにより、洗浄水タンク１８内の洗浄水の水位が満水時の止水水位に維持されるようになっている。
【００２５】
排水弁装置２４は、洗浄水タンク１８の底面に取り付けられ且つ便器本体２の排水流路９に連通する排水口２０を形成する排水口形成部材４０と、弁体４２と、この弁体４２を保持する弁体保持部材４４と、この弁体保持部材４４に下端部が取り付けられて上下方向に延びる主軸部材４６と、主軸部材４６の上端部（図示せず）に取り付けられて主軸部材４６の引き上げ操作による弁体４２の開弁操作を操作する操作ワイヤ４８とを備えている。
排水口形成部材４０は、排水口２０の上縁に沿って全周に亘って形成され且つ上方に突出する弁座５０を備え、この弁座５０と弁体４２が当接することにより、排水口２０が閉鎖されるようになっている。
操作ワイヤ４８は、一端部が主軸部材４６の上端部（図示せず）に取り付けられ、他端部が洗浄水タンク１８の内部に取り付けられたワイヤ巻取り装置５２に取り付けられている。このワイヤ巻取り装置５２は、洗浄水タンク１８の外部に取り付けられた操作レバー５４と連結されており、この操作レバー５４を大洗浄又は小洗浄の所定の洗浄モードを実行させる方向に回動操作することにより、この操作レバー５４の回動と連動してワイヤ巻取り装置５２が作動し、操作ワイヤ４８がワイヤ巻取り装置５２によって巻き取られ、この巻き取られる操作ワイヤ４８により、排水弁装置２４の主軸部材４６が引き上げられ、この主軸部材４６と共に弁体保持部材４４及び弁体４２が上昇するようになっている。
【００２６】
オーバーフロー管部２６は、オーバーフロー管５６と、オーバーフロー管５６の下端が取り付けられるオーバーフロー管取付部５８とを備え、オーバーフロー管取付部５８は、洗浄水タンク１８のほぼ底面１８ａ付近において、排水弁装置２４の排水口形成部材４０の外周に接続されている。
オーバーフロー管５６は、オーバーフロー管取付部５８から上方へとほぼ直立して設けられ、その上端には、上方に向かって開口する開口５６ａが円形に形成され、その下端において、オーバーフロー管５６がオーバーフロー管取付部５８と、排水口形成部材４０の内部の排水口２０とを介して排水流路９と連通するように設けられている。
オーバーフロー管５６の開口５６ａの高さは、洗浄水が洗浄水タンクから溢れ出るのを防ぐように、規定水位よりも高い高さに設定されている。このオーバーフロー管５６により、洗浄水が規定水位を超えて上昇しても、開口５６ａから、洗浄水がオーバーフロー管５６内にオーバーフローし、排水口形成部材４０の内部の排水流路９を経て、第１吐水口１０から、ボウル部４内に排出されるようになっている。オーバーフロー能力とは、洗浄水が規定水位を超えて上昇した場合に、オーバーフロー管が洗浄水をオーバーフロー管内にオーバーフローさせることができる能力をいう。
【００２７】
なお、本実施形態では、一例として、排水弁装置２４については、使用者が操作レバー５４を直接回転操作してワイヤ巻取り装置５２を作動させて弁体４２を操作する手動式の排水弁装置の形態について説明するが、このような形態に限定されず、使用者がタンクに設けられた操作ボタン（図示せず）をプッシュ操作して弁体４２を操作して排水流路９を開閉作動できる弁体作動機構（図示せず）を有するプッシュ式の排水弁装置の形態、さらに、操作レバー５４を回動させるためのモータ等の駆動手段を設け、外部に設定された操作ボタン（図示せず）又は人感センサー（図示せず）からの指令信号によって駆動手段の作動を自動的に制御するような排水弁装置の形態にしてもよい。
【００２８】
補給水部２８は、給水バルブ３４から給水バルブ吐水口３８への流路と分岐されてオーバーフロー管５６の開口５６ａのほぼ真上まで延びている補給水流路管６０と、この補給水流路管６０をオーバーフロー管５６の開口５６ａを指向させて固定するオーバーフロー管開口向き固定部６２とを備える。
【００２９】
補給水部２８の補給水流路管６０は、その上流端部において給水バルブ３４に接続され、給水バルブ３４からほぼ一定流量の洗浄水が安定して供給されるようになっている。
補給水流路管６０の先端には、ほぼ真下に吐水できる補給水流路管吐水口６０ａが開口され、給水バルブ３４から分岐された洗浄水がこの補給水流路管吐水口６０ａから洗浄水タンク１８内に吐水され、オーバーフロー管５６へ導水されて便器本体２へ補給水として供給されるようになっている。
【００３０】
補給水部２８のオーバーフロー管開口向き固定部６２は、オーバーフロー管５６の円筒部の上端に取り付けられている。オーバーフロー管開口向き固定部６２は、コの字形状に形成され、その上辺の補給水流路管吐水口取付部６６と、その下辺のオーバーフロー管開口取付部６８と、その閉鎖側の縦辺において補給水流路管吐水口取付部６６をオーバーフロー管開口取付部６８から垂直に支持する垂直支持部７０と、を備える。
補給水流路管吐水口取付部６６のコの字形状開放側には、補給水流路管６０の下流端の開口が下向きに取付けられている。
オーバーフロー管開口取付部６８のコの字形状開放側には、オーバーフロー管５６の開口が上向きに取付けられている。従って、補給水流路管吐水口６０ａの中心と、オーバーフロー管５６の開口５６ａの中心がオーバーフロー管５６の軸線上に位置するように配置され、補給水流路管吐水口６０ａから吐水される洗浄水の流線がオーバーフロー管５６の開口５６ａ内に指向されるように、配置されている。オーバーフロー管開口取付部６８は、実質的には、洗浄水タンク１８内の規定水位（満水水位）を超えた洗浄水が流入するオーバーフロー管５６の上端の流入口を形成している。
垂直支持部７０は、補給水流路管吐水口取付部６６とオーバーフロー管開口取付部６８との間に、後述する開閉部材を配置できるような空間を形成する高さに設定されている。さらに、オーバーフロー管５６上方に取付けられるオーバーフロー管開口向き固定部６２のオーバーフロー管開口取付部６８と、その垂直支持部７０と、その補給水流路管吐水口取付部６６と、その補給水流路管吐水口取付部に取付けられる補給水流路管６０とを合わせた高さが給水バルブ３４の高さより低く設定されている。
【００３１】
つぎに、図２乃至図４を参照して、開閉装置３０を説明する。
図４は、本発明の第１実施形態による補給水供給装置の開口開閉手段をオーバーフロー管の上方に配置している状態で示す斜視図である。
【００３２】
開閉装置３０は、オーバーフロー管５６上方に水平に延びる回転支持軸７２と、回転支持軸７２から横向きに延びるリンク７４と、このリンク７４の先端に設けられたフロート係合支持軸７６と、リンク７４下方において水平に延び且つリンク７４の回転範囲を所定範囲内に規制する回転規制部材７７と、オーバーフロー管５６下部に取付けられた軸受け部７８と、このフロート係合支持軸７６と軸受け部７８とにより支持され、且つ洗浄水タンク１８内の水位により上下動するフロート８０と、このフロート８０の上下動と連動する回転支持軸７２を中心とした回転運動によりオーバーフロー管５６の開口５６ａを開閉する開閉部材８２とを備えている。
【００３３】
回転支持軸７２は、オーバーフロー管５６の円筒部の上部において、オーバーフロー管開口取付部６８の外側に水平に延びる第１回転支持軸８４と、オーバーフロー管開口取付部６８の第１回転支持軸８４と反対側において第１回転支持軸８４と反対向きに水平に延びる第２回転支持軸８６とを備えている。
第１回転支持軸８４は、第１回転係合部８８と、水平な軸線を有する第１支持軸９０とを備え、第１回転係合部８８が、第１支持軸９０の軸線を中心とした回転運動ができるように係合されている。
第２回転支持軸８６は、第２回転係合部９２と、第１支持軸９０の軸線と同一の軸線を有する第２支持軸９４とを備え、第２回転係合部９２が、第２支持軸９４の軸線を中心とした回転運動ができるように係合されている。
第１回転係合部８８には、その軸線と直交する向きに延ばされる２枚の板状の平行なリンク７４が取付けられている。従って、リンク７４は、第１回転係合部８８と一体となって、第１支持軸９０の軸線を中心とした回転運動をするようになっている。
リンク７４は、その一端側において第１回転係合部８８に取付けられ、その他端側においてフロート係合支持軸７６に取付けられている。
フロート係合支持軸７６は、２本の平行に配置されたリンク７４の間に水平方向に延ばされ、このフロート係合支持軸７６を中心としリンク７４が回転可能なように取付けられ、フロート係合支持軸７６の中心には、フロート８０の上部に形成されたねじ溝（後述する）と螺合できるようなねじ穴（図示せず）が形成されている。
回転規制部材７７は、リンク７４と当接することによりリンク７４の下方向きの回転移動を停止させるようになっており、回転規制部材７７がリンク７４の回転移動を停止させることによって、フロート係合支持軸７６を介してフロート８０の下方移動を停止させるストッパーとして機能するようになっている。
【００３４】
フロート８０は、その上部のフロート上軸部８０ａの外周面にねじ溝８０ｂが形成され、そのねじ溝８０ｂがフロート係合支持軸７６のねじ穴と係合するようになっている。従って、フロート８０はフロート係合支持軸７６と上下左右方向に連動できるように支持されている。このねじ溝８０ｂとフロート係合支持軸７６とを相対的に回転させることによって係合位置を変更することにより、洗浄水タンク１８内の水位によってフロート８０を上昇させる浮力とこのフロート８０の自重とが釣り合う位置（釣り合い位置）を変更し、フロート８０の上下方向の高さ位置を調整でき、ねじ溝８０ｂとフロート係合支持軸７６がフロート高さ調整手段として機能するようになっている。
フロート８０は、その下部のフロート下軸部８０ｃが、軸受け部７８に通されることによって、上下方向に摺動可能且つ軸受け部７８より上に支持されるようになっている。オーバーフロー管５６の円筒部の下部には、軸受け部７８が取り付けられている。
フロート８０は、洗浄水タンク１８内の洗浄水が上昇する際には、洗浄水タンク１８内の水位によりフロート８０が浮力を受けて上昇を開始する位置からフロート８０が水位の上昇に合わせて浮き上がるように設けられ、洗浄水タンク１８内の洗浄水が下降する際には、フロート８０が軸受け部７８又はその上方に停止されるまでフロート８０が水位の下降に合わせて下降するように設定されている。
【００３５】
次に、開閉部材８２について説明する。
開閉装置３０の開閉部材８２は、オーバーフロー管５６の開口５６ａを閉鎖する際に、オーバーフロー管５６の開口５６ａ上方を覆うことができる覆い形状に形成され、より具体的には、その際の上方に張り出して湾曲した部分的な球面形状に形成され、傘のように頂点から放射状に下降するように形成されたドーム形状に形成されている。
開閉部材８２は、その一端に設けられた第１支持軸取付け部８２ａと、その他端に設けられた第２支持軸取付け部８２ｂと、第１支持軸取付け部８２ａから第２支持軸取付け部８２ｂまで延びる開閉部材８２の一端の円弧状縁を形成する第１円弧縁８２ｃと、第１支持軸取付け部８２ａから第２支持軸取付け部８２ｂまで延びる開閉部材８２の他端の円弧状縁を形成する第２円弧縁８２ｄと、開閉部材８２の外側に向かって第１円弧縁８２ｃと第２円弧縁８２ｄとの間に部分的な球面領域を形成する開閉部材８２の外側表面８２ｅと、開閉部材８２の内側に向かって第１円弧縁８２ｃと第２円弧縁８２ｄとの間に部分的な球面領域を形成する開閉部材８２の内側表面８２ｆとを備えている。
【００３６】
開閉部材８２の第１支持軸取付け部８２ａは、オーバーフロー管開口取付部６８の外側において第１回転係合部８８に取付けられている。開閉部材８２の第２支持軸取付け部８２ｂは、オーバーフロー管開口取付部６８の第１支持軸取付け部８２ａと反対の外側において第２回転係合部９２に取り付けられている。従って、開閉部材８２は、第１支持軸９０と第２支持軸９４とを結ぶ軸線を中心として回転可能に設けられている。
開閉部材８２の外側表面８２ｅは、より具体的には、球を４等分に縦横切断した４分の１の球形の外側表面の形状のように形成されている。開閉部材８２の外側表面８２ｅと内側表面８２ｆとの間は、ほぼ均一な厚みの薄板形状に形成され、開閉部材８２の内側表面８２ｆは、開閉部材８２の外側表面８２ｅとほぼ同じ形状の表面が内側向きに形成され、開閉部材８２がオーバーフロー管５６の開口５６ａを開いている際に、内側表面８２ｆとオーバーフロー管５６の開口５６ａとの間に洗浄水が流れ可能な程度の間隔の隙間Ｌが形成されるように、開閉部材８２の内側表面８２ｆが配置されている。
【００３７】
開閉部材８２の第１円弧縁８２ｃ及び第２円弧縁８２ｄは、開閉部材８２がオーバーフロー管５６の開口５６ａを閉じている際に、オーバーフロー管５６の真上から見て、オーバーフロー管５６の開口５６ａの外側に配置されるようになっている。
開閉部材８２がオーバーフロー管５６の開口５６ａを閉じている際に、開閉部材８２の外側表面８２ｅの最高の高さ位置に開閉部材８２の外側表面８２ｅの頂部８２ｇが設定されている。従って、補給水流路管吐水口６０ａの高さを、外側表面８２ｅの頂部８２ｇの高さよりも高く設定すれば、オーバーフロー管５６の開口５６ａ上に開閉部材８２を配置することができ、補給水流路管吐水口６０ａの高さを給水バルブ３４の高さよりも低く設定することができ、従来の洗浄水タンク設計のまま開閉装置３０を取付けることができる。
【００３８】
つぎに、本発明の第１実施形態による補給水供給装置の動作（作用）を説明する。
まず、図５（ａ）〜（ｄ）により、本発明の第１実施形態による補給水供給装置を備えた洗浄水タンク装置及びこの洗浄水タンク装置が適用された水洗大便器により実行される２種類の洗浄モードのうちの大洗浄モードについて説明する。
【００３９】
まず、図５（ａ）は、本発明の第１実施形態による補給水供給装置の大洗浄モードにおける排水及び給水が開始される前の状態を示す洗浄水タンク装置１６において、補給水供給装置１９を部分的に破断した部分正面断面図である。
図５（ａ）に示されるような大洗浄モードにおける排水及び給水が開始される前の状態の補給水供給装置１９においては、排水弁装置２４の弁体４２が弁座５０に当接して排水口２０が閉止され、洗浄水タンク１８内の洗浄水の水位は、満水時のほぼ止水水位ＷＬ０に維持されている。
フロート８０が、浮力によって上昇されて停止された状態となっており、フロート８０のフロート上軸部８０ａと係合するフロート係合支持軸７６が持ち上げられ、フロート係合支持軸７６が持ち上げられることにより、リンク７４及びこれと一体の第１回転係合部８８が、第１支持軸９０の軸線を中心として回転し、開閉部材８２が、第１支持軸取付け部８２ａ（図４参照）を介して第１回転係合部８８の回転に連動する第１支持軸９０の軸線を中心として回転し、オーバーフロー管５６の開口５６ａの横方向に横向きに配置され、オーバーフロー管５６の開口５６ａを上方に開放している状態となっている。
【００４０】
大洗浄モードにおける排水が開始された後の状態の補給水供給装置１９においては、使用者が操作レバー５４を所定の大洗浄モードを実行する方向に回動操作すると、ワイヤ巻取り装置５２が作動し、操作ワイヤ４８が大洗浄モードの巻き取り量で巻き取られ、排水弁装置２４の主軸部材４６、弁体保持部材４４及び弁体４２が弁座５０に対して引き上げられ、排水口２０が開放され、洗浄水タンク１８内の洗浄水が排水流路９を通じて便器本体２に排出される。従って、洗浄水タンク１８内の水位は、急速に低下される。
【００４１】
補給水供給装置１９の開閉装置３０においては、水位と連動するフロート８０が下降し、フロート８０のフロート上軸部８０ａと係合するフロート係合支持軸７６が下降し、リンク７４のフロート係合支持軸７６側が、第１支持軸９０の軸線を中心として下方に回転し、この回転と同時にリンク７４と一体の第１回転係合部８８が同じ方向に回転する。そして、開閉部材８２が、第１回転係合部８８の回転に連動して第１支持軸９０の軸線を中心とした同じ方向に回転し、オーバーフロー管５６の開口５６ａの横方向からオーバーフロー管５６の開口５６ａのほぼ真下に向って上方向に回転し、開閉部材８２の第１円弧縁８２ｃが補給水流路管吐水口６０ａとオーバーフロー管５６の開口５６ａとに共通する中心軸線Ａ上を通過して、オーバーフロー管５６の開口５６ａの上方を閉鎖する状態となる。
弁体４２が排水口２０を開放した後、例えば、開閉部材８２がオーバーフロー管５６の開口５６ａの上方を閉鎖する状態となるまでの所定期間の経過後に、給水装置２２の給水バルブ３４が開弁され、ほぼ同時に、給水バルブ３４の給水バルブ吐水口３８から洗浄水が洗浄水タンク１８内へ吐水され、ほぼ同時に、給水バルブ３４から分岐した補給水部２８の補給水流路管６０に補給水が供給され、洗浄水が補給水流路管吐水口６０ａからオーバーフロー管５６の開口５６ａに向かってほぼ真下に吐水される。
【００４２】
つぎに、図５（ｂ）は、本発明の第１実施形態による補給水供給装置の大洗浄モードにおける排水終了直後の状態を示す洗浄水タンク装置において、補給水供給装置を部分的に破断した部分正面断面図である。
図５（ｂ）に示すように、大洗浄モードにおける排水終了直後の状態の補給水供給装置１９においては、排水弁装置２４の主軸部材４６及び弁体４２が水位の低下と共にさらに下降され、弁体４２が弁座５０に当接し、排水口２０が閉止され、排水弁装置２４の大洗浄モードにおける排水が終了し、給水装置２２の給水バルブ３４の給水バルブ吐水口３８から吐水される洗浄水が継続して洗浄水タンク１８内に吐水され、給水バルブ３４から分岐した補給水が補給水部２８の補給水流路管６０に供給され、補給水流路管吐水口６０ａから補給水が、ほぼ真下に向かって吐水されている状態となっている。
洗浄水タンク１８内の水位は、止水水位ＷＬ１において下降が停止されている。
補給水供給装置１９の開閉装置３０においては、フロート８０は水位に合わせて下降するが、その下降移動の下限位置、すなわちリンク７４が回転規制部材７７と当接している状態となっており、開閉部材８２の外側表面８２ｅの頂部８２ｇが補給水流路管吐水口６０ａの中心軸線上の直下に位置し、開閉部材８２がオーバーフロー管５６の開口５６ａの上方をほぼ覆うように配置され、オーバーフロー管５６内への流入を遮断するようにオーバーフロー管５６の開口５６ａを閉鎖している状態となっている。
【００４３】
補給水流路管吐水口６０ａから吐水された補給水は、ほぼ真下に落下して、ほぼ真下にある開閉部材８２の外側表面８２ｅの頂部８２ｇに当たり、頂部８２ｇから開閉部材８２の上方に張り出して湾曲した部分的な球面形状の外側表面８２ｅに沿って放射状に拡散して流下する。そして、この流下した補給水は、第１円弧縁８２ｃ及び第２円弧縁８２ｄからオーバーフロー管５６の開口５６ａの外側の洗浄水タンク１８内に流下し、洗浄水として洗浄水タンク１８内に貯水（給水）される。
給水バルブ吐水口３８から吐水される洗浄水及び補給水流路管吐水口６０ａから吐水される洗浄水により、洗浄水タンク１８内の水位が止水水位ＷＬ１から次第に上昇を開始する。
【００４４】
つぎに、図５（ｃ）は、本発明の第１実施形態による補給水供給装置の大洗浄モードにおける排水終了後、給水中に、洗浄水タンク内の水位が、時間と共に基準水位ＷＬ２まで上昇した状態を示す洗浄水タンク装置において、補給水供給装置を部分的に破断した部分正面断面図である。
図５（ｃ）に示すように、大洗浄モードにおける排水終了後、給水中に、洗浄水タンク１８内の水位が、時間と共に基準水位ＷＬ２まで上昇した状態の補給水供給装置１９においては、弁体４２は排水口２０を閉じた状態のままであり、給水装置２２の給水バルブ３４の給水バルブ吐水口３８から吐水される洗浄水が継続して洗浄水タンク１８内に吐水され、給水バルブ３４から分岐した洗浄水が補給水流路管６０に供給され、洗浄水が補給水流路管吐水口６０ａから洗浄水が、ほぼ真下に向かって吐水されている状態となっている。
補給水供給装置１９の開閉装置３０においては、洗浄水タンク１８内の水位が、洗浄水タンク１８内の水位によってフロート８０を上昇させる浮力とこのフロート８０の自重とが釣り合う位置（釣り合い位置）に相当する水位であり且つ満水時の止水水位ＷＬ０未満の水位に相当する基準水位ＷＬ２まで上昇するとき、フロート８０が上昇し、フロート８０のフロート上軸部８０ａと係合するフロート係合支持軸７６が上昇し、リンク７４のフロート係合支持軸７６側が、第１支持軸９０の軸線を中心として上方に回転し、リンク７４と一体の第１回転係合部８８が同じ向きに回転し、開閉部材８２が、第１回転係合部８８の回転に連動して第１支持軸９０の軸線を中心とした同じ向きに回転し、オーバーフロー管５６の開口５６ａの上方向からオーバーフロー管５６の開口５６ａの横方向に向かって回転し、開閉部材８２の第１円弧縁８２ｃが補給水流路管吐水口６０ａとオーバーフロー管５６の開口５６ａとに共通する中心軸線Ａ上に位置し、開閉部材８２がこの回転位置からオーバーフロー管５６の開口５６ａの上方を開放する状態となっている。
【００４５】
つぎに、図５（ｄ）は、本発明の第１実施形態による補給水供給装置の大洗浄モードにおける排水終了後、洗浄水タンク内の水位が、時間と共に止水水位に近い水位ＷＬ３まで上昇されて給水が終了する直前の状態を示す洗浄水タンク装置において、補給水供給装置を部分的に破断した部分正面断面図である。
図５（ｄ）に示すように、大洗浄モードにおける排水終了後、洗浄水タンク１８内の水位が、時間と共に止水水位に近い水位ＷＬ３まで上昇されて給水が終了する直前の状態の補給水供給装置１９においては、弁体４２は排水口２０を閉じた状態のままであり、給水装置２２の給水バルブ３４の給水バルブ吐水口３８から吐水される洗浄水が継続して洗浄水タンク１８内に吐水され、給水バルブ３４から分岐した補給水が補給水流路管６０に供給され、洗浄水が補給水流路管吐水口６０ａから、ほぼ真下に向かって吐水されている状態となっている。
補給水供給装置１９の開閉装置３０においては、洗浄水タンク１８内の水位が水位ＷＬ３まで上昇するとき、フロート８０がさらに上昇し、フロートのフロート上軸部８０ａと係合するフロート係合支持軸７６がさらに上昇し、リンク７４のフロート係合支持軸７６側が、第１支持軸９０の軸線を中心として上方に回転し、リンク７４と一体の第１回転係合部８８が同じ向きに回転し、開閉部材８２が、第１回転係合部８８の回転に連動して第１支持軸９０の軸線を中心とした同じ向きに回転し、オーバーフロー管５６の開口５６ａの横方向に向かってさらに回転し、開閉部材８２の第１円弧縁８２ｃがオーバーフロー管５６の開口５６ａの直上より外側まで移動し、オーバーフロー管５６の開口５６ａの上方が開放されている状態となっている。
補給水流路管吐水口６０ａから吐水された補給水は、ほぼ真下に落下して、オーバーフロー管５６の開口５６ａ内に流入し、オーバーフロー管５６内を通して排水流路に流れ、便器本体２に補給水としてリフィールされる。
【００４６】
最後に、図５（ａ）に示すように、大洗浄モードにおける排水終了後、洗浄水タンク１８内の水位が、時間と共に止水水位ＷＬ０まで上昇されて給水が終了する状態の補給水供給装置１９においては、弁体４２は排水口２０を閉じた状態のままであり、洗浄水タンク１８内の水位が止水水位ＷＬ０まで上昇すると、給水バルブフロート３６が上昇し、それにより給水バルブ３４が閉じ、給水バルブ吐水口３８が止水され、給水バルブ３４から分岐した補給水流路管６０からの洗浄水の供給が停止され、補給水流路管吐水口６０ａからの吐水が停止され、洗浄水タンク１８内の水位はほぼ止水水位ＷＬ０において停止された状態となる。
補給水供給装置１９の開閉装置３０においては、洗浄水タンク１８内の水位が止水水位ＷＬ０において上昇を停止され、フロート８０の上昇が停止され、フロート８０のフロート上軸部８０ａと係合するフロート係合支持軸７６の上昇が停止され、リンク７４のフロート係合支持軸７６側の上方回転が停止され、リンク７４と一体の第１回転係合部８８の回転が停止され、開閉部材８２の、第１回転係合部８８の回転に連動して第１支持軸９０の軸線を中心とした同じ向きの回転が停止され、オーバーフロー管５６の開口５６ａの横方向に横向きに停止され、オーバーフロー管５６の開口５６ａの上方を開放している状態となる。従って、補給水供給装置１９が大洗浄モードにおける排水及び給水が開始される前の状態に戻る。
給水バルブ３４からの給水量はほぼ一定であり、排水弁装置２４の弁体４２が排水口２０を開放して大洗浄を開始してから排水口２０を閉鎖して洗浄水タンク１８内の水位が所定の基準水位ＷＬ２に上昇するまでの大洗浄モードの所定期間は各洗浄ごとにほぼ一定に設定される。
【００４７】
つぎに、図６（ａ）〜（ｄ）により、本発明の第１実施形態による補給水供給装置を備えた洗浄水タンク装置及びこの洗浄水タンク装置が適用された水洗大便器により実行される小洗浄モードについて説明する。
【００４８】
まず、図６（ａ）は、本発明の第１実施形態による補給水供給装置の小洗浄モードにおける排水及び給水が開始される前の状態を示す洗浄水タンク装置において、補給水供給装置を部分的に破断した部分正面断面図である。
図６（ａ）に示されるような小洗浄モードにおける排水が開始される前の状態の補給水供給装置１９においては、上述した図５（ａ）に示されている大洗浄モードの場合と同様であるため、説明は省略する。
【００４９】
小洗浄モードにおける排水が開始された直後の状態の補給水供給装置１９においては、使用者が操作レバー５４を所定の小洗浄モードを実行する方向に回動操作すると、ワイヤ巻取り装置５２が作動し、操作ワイヤ４８が小洗浄モードの巻き取り量で巻き取られ、排水弁装置２４の主軸部材４６、弁体保持部材４４及び弁体４２が弁座５０に対して引き上げられ、排水口２０が開放され、洗浄水タンク１８内の洗浄水が排水流路９を通じて便器本体２に排出される。従って、洗浄水タンク１８内の水位は、急速に低下される。
【００５０】
補給水供給装置１９の開閉装置３０においては、水位と連動するフロート８０が下降し、フロート８０のフロート上軸部８０ａと係合するフロート係合支持軸７６が下降し、リンク７４のフロート係合支持軸７６側が、第１支持軸９０の軸線を中心として下方に回転し、リンク７４と一体の第１回転係合部８８に同じ方向に回転し、開閉部材８２が、第１回転係合部８８の回転に連動して第１支持軸９０の軸線を中心とした同じ方向にの回転し、オーバーフロー管５６の開口５６ａの横方向からオーバーフロー管５６の開口５６ａの上方向に向かって回転し、開閉部材８２の第１円弧縁８２ｃが補給水流路管吐水口６０ａとオーバーフロー管５６の開口５６ａとに共通する中心軸線Ａ上を通過して、オーバーフロー管５６の開口５６ａの上方を閉鎖する状態となる。
【００５１】
弁体４２が排水口２０を開放した後、例えば、開閉部材８２がオーバーフロー管５６の開口５６ａの上方を閉鎖する状態となるまでの期間のような、所定期間の経過後に、給水装置２２の給水バルブ３４が開弁し、ほぼ同時に、給水バルブ３４の給水バルブ吐水口３８から洗浄水が洗浄水タンク１８内へ吐水され、ほぼ同時に、給水バルブ３４から分岐した補給水流路管６０に補給水が供給され、この補給水が補給水流路管吐水口６０ａからオーバーフロー管５６の開口５６ａに向かってほぼ真下に吐水される。
【００５２】
つぎに、図６（ｂ）は、本発明の第１実施形態による補給水供給装置の小洗浄モードにおける排水終了直後の状態を示す洗浄水タンク装置において、補給水供給装置を部分的に破断した部分正面断面図である。
図６（ｂ）に示すように、小洗浄モードにおける排水終了直後の状態の補給水供給装置１９においては、排水弁装置２４の主軸部材４６及び弁体４２が水位の低下と共にさらに下降し、弁体４２が弁座５０に当接し、排水口２０が閉止され、排水弁装置２４の小洗浄モードにおける排水が終了し、給水装置２２の給水バルブ３４の給水バルブ吐水口３８から吐水される洗浄水が継続して洗浄水タンク１８内に吐水され、給水バルブ３４から分岐した洗浄水が補給水流路管６０に供給され、補給水流路管吐水口６０ａから洗浄水が、ほぼ真下に向かって吐水されている状態となっている。
洗浄水タンク１８内の水位は、止水水位ＷＬ４において下降が停止されている。
補給水供給装置１９の開閉装置３０においては、フロート８０は水位に合わせて下降するが、その下降移動の下限位置、すなわちリンク７４が回転規制部材７７と当接している状態となっており、開閉部材８２の外側表面８２ｅの頂部８２ｇが補給水流路管吐水口６０ａの中心軸線上の直下に位置し、開閉部材８２がオーバーフロー管５６の開口５６ａの上方をほぼ覆うように配置され、オーバーフロー管５６内への流入を遮断するようにオーバーフロー管５６の開口５６ａを閉鎖している状態となっている。
【００５３】
補給水流路管吐水口６０ａから吐水された洗浄水は、ほぼ真下に落下して、ほぼ真下にある開閉部材８２の外側表面８２ｅの頂部８２ｇに当たり、頂部８２ｇから開閉部材８２の上方に張り出して湾曲した部分的な球面形状の外側表面８２ｅに沿って放射状に拡散して流下し、第１円弧縁８２ｃ及び第２円弧縁８２ｄからオーバーフロー管５６の開口５６ａの外側に流下し、洗浄水として洗浄水タンク１８内に貯水（給水）されている。
給水バルブ吐水口３８から吐水される洗浄水及び補給水流路管吐水口６０ａから吐水される洗浄水により、洗浄水タンク１８内の水位が止水水位ＷＬ４から次第に上昇を開始する。
【００５４】
つぎに、図６（ｃ）は、本発明の第１実施形態による補給水供給装置の小洗浄モードにおける排水終了後、給水中に、洗浄水タンク内の水位が、時間と共に基準水位ＷＬ２まで上昇した状態を示す洗浄水タンク装置において、補給水供給装置を部分的に破断した部分正面断面図である。
図６（ｃ）に示すように、小洗浄モードにおける排水終了後、給水中に、洗浄水タンク１８内の水位が、時間と共に基準水位ＷＬ２まで上昇した状態の補給水供給装置１９においては、弁体４２は排水口２０を閉じた状態のままであり、給水装置２２の給水バルブ３４の給水バルブ吐水口３８から吐水される洗浄水が継続して洗浄水タンク１８内に吐水され、給水バルブ３４から分岐した洗浄水が補給水流路管６０に供給され、洗浄水が補給水流路管吐水口６０ａから洗浄水が、ほぼ真下に向かって吐水されている状態となっている。
補給水供給装置１９の開閉装置３０においては、洗浄水タンク１８内の水位が基準水位ＷＬ２まで上昇するとき、フロート８０が上昇し、フロート８０のフロート上軸部８０ａと係合するフロート係合支持軸７６が上昇し、リンク７４のフロート係合支持軸７６側が、第１支持軸９０の軸線を中心として上方に回転し、リンク７４と一体の第１回転係合部８８が同じ方向に回転し、開閉部材８２が、第１回転係合部８８の回転に連動して第１支持軸９０の軸線を中心とした同じ方向に回転し、オーバーフロー管５６の開口５６ａの上方向からオーバーフロー管５６の開口５６ａの横方向に向かって回転し、開閉部材８２の第１円弧縁８２ｃが補給水流路管吐水口６０ａとオーバーフロー管５６の開口５６ａとに共通する中心軸線Ａ上に位置し、開閉部材８２が、この回転位置からオーバーフロー管５６の開口５６ａの上方を開放する状態となっている。
【００５５】
つぎに、図６（ｄ）は、本発明の第１実施形態による補給水供給装置の小洗浄モードにおける排水終了後、洗浄水タンク内の水位が、時間と共に止水水位に近い水位ＷＬ３まで上昇されて給水が終了する直前の状態を示す洗浄水タンク装置において、補給水供給装置を部分的に破断した部分正面断面図である。
図６（ｄ）に示すように、小洗浄モードにおける排水終了後、洗浄水タンク１８内の水位が、時間と共に止水水位に近い水位ＷＬ３まで上昇して給水が終了する直前の状態の補給水供給装置１９においては、弁体４２は排水口２０を閉じた状態のままであり、給水装置２２の給水バルブ３４の給水バルブ吐水口３８から吐水される洗浄水が継続して洗浄水タンク１８内に吐水され、給水バルブ３４から分岐した補給水が補給水流路管６０に供給され、洗浄水が補給水流路管吐水口６０ａから、ほぼ真下に向かって吐水されている状態となっている。
補給水供給装置１９の開閉装置３０においては、洗浄水タンク１８内の水位が水位ＷＬ３まで上昇するとき、フロート８０がさらに上昇し、フロートのフロート上軸部８０ａと係合するフロート係合支持軸７６がさらに上昇し、リンク７４のフロート係合支持軸７６側が、第１支持軸９０の軸線を中心として上方に回転し、リンク７４と一体の第１回転係合部８８が同じ向きに回転し、開閉部材８２が、第１回転係合部８８の回転に連動して第１支持軸９０の軸線を中心とした同じ方向に回転し、オーバーフロー管５６の開口５６ａの横方向に向かってさらに回転し、開閉部材８２の第１円弧縁８２ｃがオーバーフロー管５６の開口５６ａの直上より外側まで移動し、オーバーフロー管５６の開口５６ａの上方が開放されている状態となっている。
補給水流路管吐水口６０ａから吐水された洗浄水は、ほぼ真下に落下して、オーバーフロー管５６の開口５６ａ内に流入し、オーバーフロー管５６内を通して排水流路に流れ、便器本体２に補給水としてリフィールされる。
【００５６】
つぎに、図６（ａ）に示すように、小洗浄モードにおける排水終了後、洗浄水タンク１８内の水位が、時間と共に止水水位ＷＬ０まで上昇されて給水が終了する状態の補給水供給装置１９においては、弁体４２は排水口２０を閉じた状態のままであり、洗浄水タンク１８内の水位が止水水位ＷＬ０まで上昇すると、給水バルブフロート３６が上昇し、それにより給水バルブ３４が閉じ、給水バルブ吐水口３８が止水され、給水バルブ３４から分岐した補給水流路管６０からの洗浄水の供給が停止され、補給水流路管吐水口６０ａからの吐水が停止され、洗浄水タンク１８内の水位はほぼ止水水位ＷＬ０において停止された状態となる。
補給水供給装置１９の開閉装置３０においては、洗浄水タンク１８内の水位が止水水位ＷＬ０において上昇を停止され、フロート８０の上昇が停止され、フロート８０のフロート上軸部８０ａと係合するフロート係合支持軸７６の上昇が停止され、リンク７４のフロート係合支持軸７６側の上方回転が停止され、リンク７４と一体の第１回転係合部８８の回転が停止され、開閉部材８２の、第１回転係合部８８の回転に連動して第１支持軸９０の軸線を中心とした同じ向きの回転が停止され、オーバーフロー管５６の開口５６ａの横方向に横向きに停止され、オーバーフロー管５６の開口５６ａの上方を開放している状態となる。
給水バルブ３４からの給水量はほぼ一定であり、排水弁装置２４の弁体４２が排水口２０を開放して小洗浄を開始してから排水口２０を閉鎖して洗浄水タンク１８内の水位が所定の基準水位ＷＬ２に上昇するまでの小洗浄モードの所定期間は各洗浄ごとにほぼ一定に設定される。
【００５７】
次に、上述した本発明の第１実施形態による補給水供給装置の作用効果を説明する。
先ず、補給水部２８が給水バルブ３４から分岐してオーバーフロー管５６の開口５６ａに差し向けられるように固定された状態で、オーバーフロー管５６の開口５６ａの上方に配置された開閉装置３０の開閉部材８２により、排水弁装置２４の弁体４２が排水口２０を開放して大洗浄又は小洗浄を開始してから排水口２０を閉鎖して洗浄水タンク１８内の水位が所定の基準水位ＷＬ２に上昇するまでの所定期間では、オーバーフロー管５６の開口５６ａを閉鎖して補給水部２８の補給水流路管吐水口６０ａからの補給水がオーバーフロー管５６内に流入することを防ぐと共に、この補給水を洗浄水タンク１８内に供給し、所定期間以外の期間では、オーバーフロー管５６の開口５６ａを開放して補給水部２８の補給水流路管吐水口６０ａからの補給水をオーバーフロー管５６内に安定的に流入させることができる。したがって補給水部２８、大洗浄と小洗浄のそれぞれの場合において補給水部２８から一定量の補給水を安定して便器本体２にリフィールさせることができる。
【００５８】
本発明の第１実施形態による補給水供給装置１９によれば、洗浄水タンク内１８の水位が満水水位ＷＬ０未満の所定の基準水位ＷＬ２よりも下方の水位にあるときには、開閉部材８２が、フロート８０と連動してオーバーフロー管５６の開口５６ａを閉鎖し、補給水部２８の補給水流路管吐水口６０ａからの補給水がオーバーフロー管５６内に流入することを防ぐと共に、この補給水を洗浄水タンク１８内に供給し補給水部２８、洗浄水タンク１８内の水位が所定の基準水位ＷＬ２と等しい、又はこの所定の基準水位ＷＬ２よりも上方の水位にあるときには、開閉部材８２がフロート８０と連動してオーバーフロー管５６の開口５６ａを開放し、補給水部２８の補給水流路管吐水口６０ａからの補給水をオーバーフロー管５６内に安定的に流入させることができる。したがって、大洗浄と小洗浄のそれぞれの場合において、簡単な構造により、補給水部２８から一定量の補給水を安定して便器本体２にリフィールさせることができる。
【００５９】
また、本発明の第１実施形態による補給水供給装置１９によれば、開閉装置３０の開閉部材８２がフロート８０の上下動と連動して第１支持軸９０を中心として回動することによりオーバーフロー管５６の開口５６ａを開閉することができる。従って、電子制御等によらず、機械的に簡単な構造を用いて、補給水部２８の補給水流路管吐水口６０ａから吐水される洗浄水のうち、一定量の補給水を安定して便器本体２にリフィールさせることができる。
さらに、開閉装置３０の開閉部材８２が、第１支持軸９０を中心に回動する方向にーバーフロー管５６の開口５６ａを開閉するため、オーバーフロー管５６の開口５６ａをその上下（高さ）方向に開閉するものに比べて、コンパクトな構造にすることができる。
【００６０】
さらに、本発明の第１実施形態による補給水供給装置１９によれば、開閉装置３０の開閉部材８２がオーバーフロー管５６の開口５６ａを開放している状態でオーバーフロー管５６の開口５６ａの開口領域のほぼ全域に亘って開放し、開口５６ａと開閉部材８２との間に所定間隔の隙間が形成されているので、オーバーフロー管５６の開口５６ａに相当する規定水位（満水水位ＷＬ０）を超えた洗浄水をこの隙間からオーバーフロー管５６へ排出させることができ、オーバーフロー能力の低下を抑制してオーバーフロー能力を確保することができる。また、開閉装置３０の開閉部材８２が、洗浄水タンク１８内の水位が基準水位ＷＬ２よりも上方の水位にあるときの所定期間に限り、オーバーフロー管５６の開口５６ａを開放し、補給水部２８の補給水流路管吐水口６０ａから吐水された洗浄水をオーバーフロー管５６内へ流入させるようにしたため、大洗浄と小洗浄のそれぞれの場合において補給水部２８から一定量の補給水を安定して便器本体２にリフィールさせることができる。できる。
【００６１】
さらに、本発明の第１実施形態による補給水供給装置１９によれば、開閉部材８２がオーバーフロー管５６の開口５６ａを閉鎖したとき、補給水部２８の補給水流路管吐水口６０ａから吐水された補給水が開閉部材８２のほぼ球面状の外側表面８２ｅの頂部８２ｇに向けて吐水されるため、この頂部８２ｇから球面状の外側表面８２ｅに沿って均一に洗浄水タンク１８内に拡散される。したがって、補給水部２８から開閉部材８２の外側表面８２ｅの頂部８２ｇに吐水されたときの補給水の水跳ねを低減させて吐水音を抑制することができる。
【００６２】
さらに、本発明の第１実施形態による補給水供給装置１９によれば、調整部材１２４によって洗浄水タンク１８内の水位によってフロート８０を上昇させる浮力とフロート８０の自重とが釣り合う位置（釣り合い位置）を上下方向に調整することができ、開閉部材８２がオーバーフロー管５６の開口５６ａを開閉するタイミングを調整することができる。したがって、便器洗浄に使用される洗浄水タンクの容量に応じて便器本体２への補給水量を変更することができ、且つ大洗浄と小洗浄のそれぞれの場合において補給水部２８から一定量の補給水を安定して便器本体２にリフィールさせることができる。
【００６３】
つぎに、図７乃至図１２により、本発明の第２実施形態による補給水供給装置、及び、その補給水供給装置を備えた洗浄水タンク装置、この洗浄水タンク装置が適用された水洗大便器を説明する。
図７は、本発明の第２実施形態による補給水供給装置を備えた洗浄水タンク装置の内部構造を蓋体を取り外した状態で補給水供給装置の一部分を一部破断した部分断面正面図であり、図８は、本発明の第２実施形態による補給水供給装置を備えた洗浄水タンク装置の内部構造を蓋体を取り外した状態で示す上面図であり、図９は、本発明の第２実施形態による補給水供給装置の補給水装置の一部及び開口開閉手段の斜視図であり、図１０は、本発明の第２実施形態による補給水供給装置の補給水装置の一部及び開口開閉手段の分解斜視図であり、図１１（ａ）〜（ｄ）は、本発明の第２実施形態による補給水供給装置の大洗浄モードにおける各状態を示す補給水供給装置の一部分を一部破断した部分断面正面図であり、図１２（ａ）〜（ｄ）は、本発明の第２実施形態による補給水供給装置の小洗浄モードにおける各状態を示す補給水供給装置の一部分を一部破断した部分断面正面図である。
ここで、図７、図８、図１１及び図１２に示す本発明の第２実施形態による補給水供給装置において、図２、図３、図５及び図６に示す第１実施形態による補給水供給装置の部分と同一の部分について同一の符号を付し、それらの説明は省略する。
【００６４】
図７及び図８に示すように、本発明の第２実施形態による洗浄水タンク装置１６の洗浄水タンク１８内には、補給水供給装置９６が設けられ、補給水供給装置９６は、給水装置２２から分岐されてオーバーフロー管部２６の外方斜め上方まで延び便器本体２に補給水をリフィールさせる補給水部９８と、さらに、オーバーフロー管部２６の開口の上方には、補給水部９８から吐水された補給水が、一定量の補給水をリフィールさせる期間以外の期間はオーバーフロー管部２６内へ流入することを遮断されるようにオーバーフロー管部２６の開口を閉じ、且つ、一定量の補給水をリフィールさせる期間はオーバーフロー管部２６内へ流入されるようにオーバーフロー管部２６の開口を開く開閉装置１００とを備えている。
【００６５】
図１０に示すように、補給水部９８は、給水バルブ３４から給水バルブ吐水口３８への流路と分岐されてオーバーフロー管５６の開口５６ａの外方斜め上方まで延びている補給水流路管１０２と、この補給水流路管１０２の先端に形成されている補給水流路管吐水口１０２ａをオーバーフロー管５６の開口５６ａを指向させて斜め下方に向けて固定させるオーバーフロー管開口向き固定部１０４とを備える。
【００６６】
補給水部９８の補給水流路管１０２は、その上流端部において給水バルブ３４に接続され、給水バルブ３４からほぼ一定流量の補給水が安定して供給されるようになっている。
補給水流路管１０２の先端には、斜め下方に吐水できる補給水流路管吐水口１０２ａが開口され、給水バルブ３４から分岐された補給水がこの補給水流路管吐水口１０２ａから洗浄水タンク１８内に吐水され、オーバーフロー管５６へ導水されて便器本体２へ補給水として供給されるようになっている。
【００６７】
補給水部９８のオーバーフロー管開口向き固定部１０４は、オーバーフロー管５６の円筒部の上端に取り付けられている。
オーバーフロー管開口向き固定部１０４は、その内側の内側環状部１０６と、この内側環状部１０６の同心円状外側に設けられている外側環状部１０８と、この外側環状部１０８の外周から外側に延ばされ且つそこからＬ字形状に上方に立ち上がるように形成されるＬ字形支持部１１０と、Ｌ字形支持部１１０の上端に設けられた補給水流路管吐水口取付部１１２とを備えている。
【００６８】
内側環状部１０６には、オーバーフロー管５６の開口５６ａが上向きに取付けられている。オーバーフロー管開口向き固定部１０４の内側環状部１０６は、実質的には、洗浄水タンク１８内の規定水位（満水水位）を超えた洗浄水が流入するオーバーフロー管５６の上端の流入口を形成している。
外側環状部１０８は、内側環状部１０６と３箇所に設けられた半径方向接続部１０９によって半径方向に接続されている
内側環状部１０６と、内側環状部１０６と外側環状部１０８とを接続する半径方向接続部１０９と、外側環状部１０８との間には、後述する開閉装置１００をガイドすることができるガイド空間１１４が形成されている。
【００６９】
Ｌ字形支持部１１０は、外側環状部１０８の外周から外側に水平に延ばされ、その外側端から鉛直上方に延ばされるようなＬ字形状に形成され、そのＬ字形支持部１１０の上端に固定された補給水流路管吐水口１０２ａから吐水される補給水がオーバーフロー管５６の開口５６ａの外側斜め上方からオーバーフロー管５６の開口５６ａに流入されるように、補給水流路管吐水口取付部１１２を位置決めしている。
補給水流路管吐水口取付部１１２には、補給水流路管吐水口１０２ａが斜め下方向きにオーバーフロー管５６の開口５６ａを指向するように取付けられている。
従って、補給水流路管１０２は、オーバーフロー管開口向き固定部１０４のＬ字形支持部１１０の先端の補給水流路管吐水口取付部１１２により、オーバーフロー管５６の開口５６ａに向かって固定されている。
【００７０】
つぎに、図７乃至図１０を参照して、開閉装置１００を説明する。
開閉装置１００は、オーバーフロー管５６の周囲に円筒形状に形成されたフロート１１６と、このフロート１１６の上部から上方に延びてオーバーフロー管５６の開口５６ａを開閉する開閉部材１１８とを備えている。
【００７１】
フロート１１６は、洗浄水タンク１８内の水位により上下動するフロートであり、オーバーフロー管５６の周囲に沿って上下方向に摺動可能に取付けられている。オーバーフロー管５６の円筒部の下部には、フロート下部受け部１２０が取り付けられている。フロート１１６は、洗浄水タンク１８内の洗浄水が上昇する際には、洗浄水タンク１８内の水位によりフロート１１６が浮力を受けて上昇を開始する位置からフロート１１６が水位の上昇に合わせて浮き上がるように設けられ、洗浄水タンク１８内の洗浄水が下降する際には、フロート１１６がフロート下部受け部１２０上に引っ掛けられて停止されるまでフロート１１６が水位の下降に合わせて下降するように設定されている。
【００７２】
次に、開閉部材１１８について説明する。
開閉装置１００の開閉部材１１８は、オーバーフロー管５６の開口５６ａを閉鎖する際に、オーバーフロー管５６の開口５６ａ上方には、オーバーフロー管５６の開口５６ａのほぼ半分の外周を横方向及び斜め上方向から覆うことができる覆い形状に形成され、より具体的には、開閉部材１１８は、オーバーフロー管５６の開口５６ａの外円周に沿って上方に壁状に延ばされ且つ補給水流路管吐水口１０２ａ方向にその補給水流路管吐水口１０２ａと対向する側の表面が張り出して湾曲された円弧形状に形成されている。
開閉部材１１８は、オーバーフロー管開口向き固定部１０４の内側環状部１０６と外側環状部１０８との間に形成された半円筒形状のガイド空間１１４内に挿入され、オーバーフロー管開口向き固定部１０４を貫通され、オーバーフロー管開口向き固定部１０４に対して上下動することができる。
【００７３】
開閉部材１１８は、その下部においてフロート１１６の内円周面に沿って取付けられるフロート取付け部１１８ａと、開閉部材１１８の外側に向かって突出する円周面領域を形成する外側表面１１８ｂと、開閉部材１１８の内側の円周面領域を形成する内側表面１１８ｃと、開閉部材１１８がオーバーフロー管５６の開口５６ａを閉じている際に、外側表面１１８ｂの円周面の最高の高さ位置に設定された頂部１１８ｄと、内側表面１１８ｃに設けられ、フロート下部受け部１２０上に引っ掛け可能な引掛り部１１８ｅとを備えている。
開閉部材１１８のフロート取付け部１１８ａは、フロート１１６の内円周面に沿ってフロート１１６の下端まで延びている。
開閉部材１１８の外側表面１１８ｂは、オーバーフロー管５６の開口５６ａの外周円のほぼ半円にわたって形成され、外側表面１１８ｂのうち、補給水流路管吐水口１０２ａから補給水が吐水される領域の一部には、補給水流路管１０２の補給水流路管吐水口１０２ａからの吐水が、オーバーフロー管５６の開口５６ａに向かって通過できる吐水通過開口１２２が形成されている。
開閉部材１１８の外側表面１１８ｂの吐水通過開口１２２は、外側表面１１８ｂにおける補給水流路管吐水口１０２ａのほぼ正面において上下方向に長い四角形状に形成され、その吐水通過開口１２２の位置を、吐水通過開口１２２に取付けられた開閉部材１１８の調整部材１２４によって調整することができ、そのため、調整部材１２４によって、オーバーフロー管５６の開口５６ａが補給水流路管吐水口１０２ａに対して開閉状態を変えられるように、フロート１１６の釣り合い位置に対応する吐水通過開口１２２の位置を上下方向に調整することができる。調整部材１２４は凸部１２４ａを有し、吐水通過開口１２２には凸部１２４ａと係合可能な凹部１２２ａが複数形成されている。
開閉部材１１８の外側表面１１８ｂに形成された吐水通過開口１２２が、補給水流路管吐水口１０２ａから吐水される補給水の流線上に位置している場合には、この補給水が吐水通過開口１２２を通過してオーバーフロー管５６の開口５６ａに流入でき、オーバーフロー管５６の開口５６ａは補給水流路管吐水口１０２ａに対して開かれた状態となっている。これに対し、吐水通過開口１２２が、補給水流路管吐水口１０２ａから吐水される補給水の流線上以外の位置に位置している場合には、この補給水は開閉部材１１８の外側表面１１８ｂの頂部１１８ｄに当たって、頂部１１８ｄから開閉部材１１８の外側表面１１８ｂに沿って放射状に拡散しながら流下され、洗浄水として洗浄水タンク１８内に補給水され、オーバーフロー管５６の開口５６ａは補給水流路管吐水口１０２ａに対して閉じられた状態となっている。
開閉部材１１８の高さが最高の高さにあるときに、開閉部材１１８の高さが給水バルブ３４の高さより低く設定されているので、高さ方向にコンパクトな洗浄水タンク１８を形成することができ、従来の洗浄水タンク設計のまま本発明の第２実施形態による補給水供給装置１９を用いることができる。
【００７４】
つぎに、本発明の第２実施形態による補給水供給装置、及び、その補給水供給装置を備えた洗浄水タンク装置、この洗浄水タンク装置が適用された水洗大便器の動作（作用）を説明する。
まず、図１１（ａ）〜（ｄ）により、本発明の第２実施形態による補給水供給装置を備えた洗浄水タンク装置及びこの洗浄水タンク装置が適用された水洗大便器により実行される２種類の洗浄モードのうちの大洗浄モードについて説明する。
【００７５】
まず、図１１（ａ）に示されるような大洗浄モードにおける排水及び給水が開始される前の状態の補給水供給装置１９においては、排水弁装置２４の弁体４２が弁座５０に当接して排水口２０が閉止され、洗浄水タンク１８内の洗浄水の水位は、満水時のほぼ止水水位ＷＬ０に維持されている。
フロート１１６が、浮力によって上昇されて停止された状態となっており、フロート１１６の内円周面に沿って取付けられた開閉部材１１８が持ち上げられ、開閉部材１１８の外側表面１１８ｂの吐水通過開口１２２が、補給水流路管吐水口１０２ａの正面方向に位置し、オーバーフロー管５６の開口５６ａを補給水流路管吐水口１０２ａに対して開放している状態となっている。
【００７６】
大洗浄モードにおける排水が開始された後の状態の補給水供給装置１９においては、使用者が操作レバー５４を所定の大洗浄モードを実行する方向に回動操作すると、ワイヤ巻取り装置５２が作動し、操作ワイヤ４８が大洗浄モードの巻き取り量で巻き取られ、排水弁装置２４の主軸部材４６、弁体保持部材４４及び弁体４２が弁座５０に対して引き上げられ、排水口２０が開放され、洗浄水タンク１８内の洗浄水が排水流路９を通じて便器本体２に排出される。従って、洗浄水タンク１８内の水位は、急速に低下される。
【００７７】
補給水供給装置１９の開閉装置１００においては、水位と連動するフロート１１６が下降し、フロート１１６に取付けられた開閉部材１１８が下降し、開閉部材１１８の外側表面１１８ｂに形成された吐水通過開口１２２が下降し、補給水流路管吐水口１０２ａの正面より下方に移動し、オーバーフロー管５６の開口５６ａを補給水流路管吐水口１０２ａに対して閉鎖している状態となっている。
弁体４２が排水口２０を開放した後、給水装置２２の給水バルブ３４が開弁され、ほぼ同時に、給水バルブ３４の給水バルブ吐水口３８から洗浄水が洗浄水タンク１８内へ吐水され、ほぼ同時に、給水バルブ３４から分岐した補給水流路管１０２に補給水が供給され、補給水が補給水流路管吐水口１０２ａから対向する開閉部材１１８の外側表面１１８ｂに向かって斜め下方向きに吐水される。
【００７８】
つぎに、図１１（ｂ）に示すように、大洗浄モードにおける排水終了直後の状態の補給水供給装置１９においては、排水弁装置２４の主軸部材４６及び弁体４２が水位の低下と共にさらに下降し、弁体４２が弁座５０に当接し、排水口２０が閉止され、排水弁装置２４の大洗浄モードにおける排水が終了し、給水装置２２の給水バルブ３４の給水バルブ吐水口３８から吐水される洗浄水が継続して洗浄水タンク１８内に吐水され、給水バルブ３４から分岐した補給水が補給水流路管１０２に供給され、補給水が補給水流路管吐水口１０２ａから対向する開閉部材１１８の外側表面１１８ｂに向かって（オーバーフロー管５６の開口５６ａの方向に向かって）斜め下方向きに吐水されている状態となっている。
洗浄水タンク１８内の水位は、止水水位ＷＬ１において下降が停止されている。
補給水供給装置１９の開閉装置１００においては、フロート１１６は水位に合わせて下降されるが、その下降移動の下限位置、すなわちフロート下部受け部１２０上にフロート１１６の引掛り部１１８ｅが引っ掛かった位置において停止された状態となっており、フロート１１６に取付けられた開閉部材１１８が停止され、開閉部材１１８の外側表面１１８ｂに形成された吐水通過開口１２２が停止され、補給水流路管吐水口１０２ａの正面より下方に位置し、開閉部材１１８の外側表面１１８ｂの頂部１１８ｄが補給水流路管吐水口１０２ａの吐水方向上に位置し、開閉部材１１８がオーバーフロー管５６の開口５６ａを補給水流路管吐水口１０２ａに対して遮断するように閉鎖している状態となっている。
【００７９】
補給水流路管吐水口１０２ａからの補給水は、オーバーフロー管５６の開口５６ａに向かって斜め下方向きに吐水され、開閉部材１１８の外側表面１１８ｂの頂部１１８ｄに当たり、頂部１１８ｄから開閉部材１１８の横方向に張り出して湾曲した円弧形状の外側表面１１８ｂに沿って放射状に拡散して流下し、オーバーフロー管５６の開口５６ａの外側に流下し、洗浄水として洗浄水タンク１８内に貯水（補給水）されている。
給水バルブ吐水口３８から吐水される洗浄水及び補給水流路管吐水口１０２ａから吐水される補給水により、洗浄水タンク１８内の水位が止水水位ＷＬ１から次第に上昇を開始する。
【００８０】
つぎに、図１１（ｃ）に示すように、大洗浄モードにおける排水終了後、給水中に、洗浄水タンク１８内の水位が、時間と共に基準水位ＷＬ２まで上昇した状態の補給水供給装置１９においては、弁体４２は排水口２０を閉じた状態のままであり、給水装置２２の給水バルブ３４の給水バルブ吐水口３８から吐水される洗浄水が継続して洗浄水タンク１８内に吐水され、給水バルブ３４から分岐した補給水が補給水流路管１０２に供給され、補給水が補給水流路管吐水口１０２ａからオーバーフロー管５６の開口５６ａに向かって斜め下方向きに吐水されている状態となっている。
補給水供給装置１９の開閉装置１００においては、洗浄水タンク１８内の水位が水位ＷＬ２まで上昇するとき、フロート１１６が上昇し、フロート１１６に取付けられた開閉部材１１８が上昇され、開閉部材１１８の外側表面１１８ｂに形成された吐水通過開口１２２が上昇し、補給水流路管吐水口１０２ａの正面に位置され、開閉部材１１８がオーバーフロー管５６の開口５６ａを補給水流路管吐水口１０２ａに対して開放している状態となっている。
補給水流路管吐水口１０２ａから吐水された補給水は、吐水通過開口１２２を通ってフロー管５６の開口５６ａに向かって斜め下方向きに吐水され、オーバーフロー管５６の開口５６ａ内に流入され、オーバーフロー管５６内を通して排水流路９に流れ、便器本体２に補給水としてリフィールされる。
【００８１】
つぎに、図１１（ｄ）に示すように、大洗浄モードにおける排水終了後、洗浄水タンク１８内の水位が、時間と共に止水水位に近い水位ＷＬ３まで上昇されて給水が終了する直前の状態の補給水供給装置１９においては、弁体４２は排水口２０を閉じた状態のままであり、給水装置２２の給水バルブ３４の給水バルブ吐水口３８から吐水される洗浄水が継続して洗浄水タンク１８内に吐水され、給水バルブ３４から分岐した補給水が補給水流路管１０２に供給され、補給水が補給水流路管吐水口１０２ａから、オーバーフロー管５６の開口５６ａに向かって斜め下方向きに吐水されている状態となっている。
補給水供給装置１９の開閉装置１００においては、洗浄水タンク１８内の水位が水位ＷＬ３まで上昇するとき、フロート１１６がさらに上昇され、フロート１１６に取付けられた開閉部材１１８が上昇し、開閉部材１１８の外側表面１１８ｂに形成された吐水通過開口１２２が上昇され、補給水流路管吐水口１０２ａの吐水方向に位置され、開閉部材１１８がオーバーフロー管５６の開口５６ａを補給水流路管吐水口１０２ａに対して開放している状態となっている。
【００８２】
最後に、図１１（ａ）に示すように、大洗浄モードにおける排水終了後、洗浄水タンク１８内の水位が、時間と共に止水水位ＷＬ０まで上昇されて給水が終了された状態の補給水供給装置１９においては、弁体４２は排水口２０を閉じた状態のままであり、洗浄水タンク１８内の水位が止水水位ＷＬ０まで上昇すると、給水バルブフロート３６が上昇し、それにより給水バルブ３４が閉じ、給水バルブ吐水口３８が止水され、給水バルブ３４から分岐した補給水流路管１０２からの補給水の供給が停止され、補給水流路管吐水口１０２ａからの吐水が停止され、洗浄水タンク１８内の水位はほぼ止水水位ＷＬ０において停止された状態となっている。
補給水供給装置１９の開閉装置１００においては、洗浄水タンク１８内の水位が止水水位ＷＬ０において上昇を停止され、フロート１１６の上昇が停止され、フロート１１６に取付けられた開閉部材１１８の上昇が停止され、開閉部材１１８の外側表面１１８ｂに形成された吐水通過開口１２２の上昇が停止され、吐水通過開口１２２は補給水流路管吐水口１０２ａの吐水方向に位置し、開閉部材１１８がオーバーフロー管５６の開口５６ａを補給水流路管吐水口１０２ａに対して開放している状態となっている。このように、補給水供給装置１９が大洗浄モードにおける排水及び給水が開始される前の状態に戻る。給水バルブ３４からの給水量はほぼ一定であり、排水弁装置２４の弁体４２が排水口２０を開放して大洗浄を開始してから排水口２０を閉鎖して洗浄水タンク１８内の水位が所定の基準水位ＷＬ２に上昇するまでの大洗浄モードの所定期間は各大洗浄ごとにほぼ一定に設定される。
【００８３】
つぎに、図１２（ａ）〜（ｄ）により、本発明の第２実施形態による補給水供給装置を備えた洗浄水タンク装置及びこの洗浄水タンク装置が適用された水洗大便器により実行される小洗浄モードについて説明する。
【００８４】
まず、図１２（ａ）に示されるような小洗浄モードにおける排水が開始される前の状態の補給水供給装置１９においては、上述した図１１（ａ）に示されている大洗浄モードの場合と同様であるため、説明は省略する。
【００８５】
小洗浄モードにおける排水が開始された後の状態の補給水供給装置１９においては、使用者が操作レバー５４を所定の小洗浄モードを実行する方向に回動操作すると、ワイヤ巻取り装置５２が作動し、操作ワイヤ４８が小洗浄モードの巻き取り量で巻き取られ、排水弁装置２４の主軸部材４６、弁体保持部材４４及び弁体４２が弁座５０に対して引き上げられ、排水口２０が開放され、洗浄水タンク１８内の洗浄水が排水流路９を通じて便器本体２に排出される。従って、洗浄水タンク１８内の水位は、急速に低下される。
【００８６】
補給水供給装置１９の開閉装置１００においては、水位と連動するフロート１１６が下降し、フロート１１６に取付けられた開閉部材１１８が下降し、開閉部材１１８の外側表面１１８ｂに形成された吐水通過開口１２２が下降し、補給水流路管吐水口１０２ａのほぼ正面方向に移動し、オーバーフロー管５６の開口５６ａを補給水流路管吐水口１０２ａに対して開放している状態となっている。
弁体４２が排水口２０を開放した後、例えば、開閉部材１１８がオーバーフロー管５６の開口５６ａを補給水流路管吐水口１０２ａに対して閉鎖する状態となるまでの一定期間のような、一定期間の経過後に、給水装置２２の給水バルブ３４が開弁し、ほぼ同時に、給水バルブ３４の給水バルブ吐水口３８から洗浄水が洗浄水タンク１８内へ吐水され、ほぼ同時に、給水バルブ３４から分岐した補給水流路管１０２に補給水が供給され、補給水が補給水流路管吐水口１０２ａからオーバーフロー管５６の開口５６ａに向かって斜め下方向きに吐水される。
【００８７】
つぎに、図１２（ｂ）に示すように、小洗浄モードにおける排水終了直後の状態の補給水供給装置１９においては、排水弁装置２４の主軸部材４６及び弁体４２が水位の低下と共にさらに下降し、弁体４２が弁座５０に当接し、排水口２０が閉止され、排水弁装置２４の小洗浄モードにおける排水が終了し、給水装置２２の給水バルブ３４の給水バルブ吐水口３８から吐水される洗浄水が継続して洗浄水タンク１８内に吐水され、給水バルブ３４から分岐した補給水が補給水流路管１０２に供給され、補給水が補給水流路管吐水口１０２ａからオーバーフロー管５６の開口５６ａに向かって斜め下方向きに吐水されている状態となっている。
洗浄水タンク１８内の水位は、止水水位ＷＬ４において下降が停止されている。
補給水供給装置１９の開閉装置１００においては、フロート１１６は水位に合わせて下降されるが、その下降移動の下限位置、すなわちフロート下部受け部１２０上にフロート１１６の引掛り部１１８ｅが引っ掛かった位置において停止された状態となっており、フロート１１６に取付けられた開閉部材１１８の下降が停止され、開閉部材１１８の外側表面１１８ｂに形成された吐水通過開口１２２が停止され、補給水流路管吐水口１０２ａの吐水方向より下方に位置され、開閉部材１１８の外側表面１１８ｂの頂部１１８ｄが補給水流路管吐水口１０２ａの吐水方向上に位置され、開閉部材１１８がオーバーフロー管５６の開口５６ａを補給水流路管吐水口１０２ａに対して閉鎖している状態となっている。
【００８８】
補給水流路管吐水口１０２ａからの補給水は、オーバーフロー管５６の開口５６ａに向かって斜め下方向きに吐水され、開閉部材１１８の外側表面１１８ｂの頂部１１８ｄに当たり、頂部１１８ｄから開閉部材１１８の横方向に張り出して湾曲した円弧形状の外側表面１１８ｂに沿って放射状に拡散して流下し、オーバーフロー管５６の開口５６ａの外側に流下し、洗浄水として洗浄水タンク１８内に貯水（補給水）されている。
給水バルブ吐水口３８から吐水される洗浄水及び補給水流路管吐水口１０２ａから吐水される補給水により、洗浄水タンク１８内の水位が止水水位ＷＬ４から次第に上昇を開始する。
【００８９】
つぎに、図１２（ｃ）に示すように、小洗浄モードにおける排水終了後、給水中に、洗浄水タンク１８内の水位が、時間と共に基準水位ＷＬ２まで上昇した状態の補給水供給装置１９においては、弁体４２は排水口２０を閉じた状態のままであり、給水装置２２の給水は継続され、給水バルブ３４から分岐した補給水が補給水流路管１０２に供給され、補給水が補給水流路管吐水口１０２ａからオーバーフロー管５６の開口５６ａに向かって斜め下方向きに吐水されている状態となっている。
補給水供給装置１９の開閉装置１００においては、洗浄水タンク１８内の水位が基準水位ＷＬ２まで上昇するとき、フロート１１６が上昇し、フロート１１６に取付けられた開閉部材１１８が上昇し、開閉部材１１８の外側表面１１８ｂに形成された吐水通過開口１２２が上昇し、補給水流路管吐水口１０２ａの吐水方向正面に位置され、開閉部材１１８がオーバーフロー管５６の開口５６ａを補給水流路管吐水口１０２ａに対して開放している状態となっている。
補給水流路管吐水口１０２ａから吐水された補給水は、フロー管５６の開口５６ａに向かって斜め下方向きに吐水され、吐水通過開口１２２を通過して、オーバーフロー管５６の開口５６ａ内に流入し、オーバーフロー管５６内を通して排水流路９に流れ、便器本体２に補給水としてリフィールされる。
【００９０】
つぎに、図１２（ｄ）に示すように、小洗浄モードにおける排水終了後、洗浄水タンク１８内の水位が、時間と共に止水水位に近い水位ＷＬ３まで上昇されて給水が終了する直前の状態の補給水供給装置１９においては、弁体４２は排水口２０を閉じた状態のままであり、給水装置２２の給水バルブ３４の給水バルブ吐水口３８から吐水される洗浄水が継続して洗浄水タンク１８内に吐水され、給水バルブ３４から分岐した補給水が補給水流路管１０２に供給され、補給水が補給水流路管吐水口１０２ａから、オーバーフロー管５６の開口５６ａに向かって斜め下方向きに吐水されている状態となっている。
補給水供給装置１９の開閉装置１００においては、洗浄水タンク１８内の水位が水位ＷＬ３まで上昇するとき、フロート１１６がさらに上昇し、フロート１１６に取付けられた開閉部材１１８が上昇し、開閉部材１１８の外側表面１１８ｂに形成された吐水通過開口１２２が上昇し、補給水流路管吐水口１０２ａの吐水方向に位置し、開閉部材１１８がオーバーフロー管５６の開口５６ａを補給水流路管吐水口１０２ａに対して開放している状態となっている。
【００９１】
最後に、図１２（ａ）に示すように、小洗浄モードにおける排水終了後、洗浄水タンク１８内の水位が、時間と共に止水水位ＷＬ０まで上昇されて給水が終了された状態の補給水供給装置１９においては、弁体４２は排水口２０を閉じた状態のままであり、洗浄水タンク１８内の水位が止水水位ＷＬ０まで上昇すると、給水バルブフロート３６が上昇し、それにより給水バルブ３４が閉じ、給水バルブ吐水口３８が止水され、給水バルブ３４から分岐した補給水流路管１０２からの補給水の供給が停止され、補給水流路管吐水口１０２ａからの吐水が停止され、洗浄水タンク１８内の水位はほぼ止水水位ＷＬ０において停止された状態となっている。
補給水供給装置１９の開閉装置１００においては、洗浄水タンク１８内の水位が止水水位ＷＬ０において上昇を停止され、フロート１１６の上昇が停止され、フロート１１６に取付けられた開閉部材１１８の上昇が停止され、開閉部材１１８の外側表面１１８ｂに形成された吐水通過開口１２２の上昇が停止され、吐水通過開口１２２は補給水流路管吐水口１０２ａの吐水方向に位置され、開閉部材１１８がオーバーフロー管５６の開口５６ａを補給水流路管吐水口１０２ａに対して開放している状態となっている。このように、補給水供給装置１９が小洗浄モードにおける排水及び給水が開始される前の状態に戻る。給水バルブ３４からの給水量はほぼ一定であり、排水弁装置２４の弁体４２が排水口２０を開放して小洗浄を開始してから排水口２０を閉鎖して洗浄水タンク１８内の水位が所定の基準水位ＷＬ２に上昇するまでの小洗浄モードの所定期間は各小洗浄ごとにほぼ一定に設定される。
【００９２】
次に、上述した本発明の第２実施形態による補給水供給装置の作用効果を説明する。
先ず、補給水部９８が給水バルブ３４から分岐してオーバーフロー管５６の開口５６ａに差し向けられるように固定された状態で、オーバーフロー管５６の開口５６ａの上方に配置された開閉装置１００の開閉部材１１８により、排水弁装置２４の弁体４２が排水口２０を開放して大洗浄又は小洗浄を開始してから排水口２０を閉鎖して洗浄水タンク１８内の水位が所定の基準水位ＷＬ２に上昇するまでの所定期間では、オーバーフロー管５６の開口５６ａを閉鎖して補給水部９８の補給水流路管吐水口１０２ａからの補給水がオーバーフロー管５６内に流入することを防ぐと共に、この補給水を洗浄水タンク１８内に供給し、所定期間以外の期間では、オーバーフロー管５６の開口５６ａを開放して補給水部９８の補給水流路管吐水口６０ａからの補給水をオーバーフロー管５６内に安定的に流入させることができる。したがって補給水部９８、大洗浄と小洗浄のそれぞれの場合において補給水部９８から一定量の補給水を安定して便器本体２にリフィールさせることができる。
【符号の説明】
【００９３】
１            水洗大便器
２            便器本体
４            ボウル部
９            排水流路
１６          洗浄水タンク装置
１８          洗浄水タンク
１８ａ        底面
１９、９６    補給水供給装置
２２          給水装置
２４          排水弁装置
２６          オーバーフロー管部
２８、９８    補給水部
３０、１００  開閉装置（開口開閉手段）
３４          給水バルブ
５６          オーバーフロー管
５６ａ        開口
６０、１０２  補給水流路管
６０ａ、１０２ａ      補給水流路管吐水口
６２、１０４  オーバーフロー管開口向き固定部
８０、１１６  フロート
８２、１１８  開閉部材
Ｗ0           鎖線
Ｗ0           溜水面
ＷＬ０        止水水位
ＷＬ１        止水水位
ＷＬ２        基準水位
ＷＬ３        水位
ＷＬ４        止水水位
【図１】
0005708935.tif 000002
【図２】
0005708935.tif 000003
【図３】
0005708935.tif 000004
【図４】
0005708935.tif 000005
【図５（ａ）】
0005708935.tif 000006
【図５（ｂ）】
0005708935.tif 000007
【図５（ｃ）】
0005708935.tif 000008
【図５（ｄ）】
0005708935.tif 000009
【図６（ａ）】
0005708935.tif 000010
【図６（ｂ）】
0005708935.tif 000011
【図６（ｃ）】
0005708935.tif 000012
【図６（ｄ）】
0005708935.tif 000013
【図７】
0005708935.tif 000014
【図８】
0005708935.tif 000015
【図９】
0005708935.tif 000016
【図１０】
0005708935.tif 000017
【図１１（ａ）】
0005708935.tif 000018
【図１１（ｂ）】
0005708935.tif 000019
【図１１（ｃ）】
0005708935.tif 000020
【図１１（ｄ）】
0005708935.tif 000021
【図１２（ａ）】
0005708935.tif 000022
【図１２（ｂ）】
0005708935.tif 000023
【図１２（ｃ）】
0005708935.tif 000024
【図１２（ｄ）】
0005708935.tif 000025